(57)【要約】  本願の実施は、サービス完了状況を表示するための情報処理方法及びデバイスを開示する。本方法は、サービス操作インターフェース内の第１のタイプのサービス項目の数に基づき、サービス項目の総数を特定するステップ；ユーザによって記入されたサービス操作インターフェース内の第２のタイプのサービス項目の数を検出して、記入されたサービス項目の数を特定するステップ；サービス項目の総数と記入されたサービス項目の数とを示す計数ユニットをサービス操作インターフェース内の所定位置に表示するステップと；計数ユニットによって現在表示されているサービス項目完了情報に基づき、サービス操作インターフェース内の指定された操作ボタンの操作状況を特定するステップ；を含む。本願の方法又はデバイスの実施によると、フォームの現在のサービス項目完了進捗情報をユーザに対して表示できる。ユーザは、記入されたサービス項目の数と必須サービス項目の総数をはっきりと見ることができるので、ユーザエクスペリエンスは向上する。
2019507433.tif 000002
【特許請求の範囲】
【請求項１】
サービス完了状況を表示するための情報処理方法であって：
サービス操作インターフェース内の第１のタイプのサービス項目の数に基づき、サービス項目の総数を特定するステップと；
ユーザによって記入された前記サービス操作インターフェース内の第２のタイプのサービス項目の数を検出して、記入されたサービス項目の数を特定するステップと；
サービス項目の総数と記入されたサービス項目の数とを示す計数ユニットを前記サービス操作インターフェース内の所定位置に表示するステップと；
前記計数ユニットによって現在表示されているサービス項目完了情報に基づき、前記サービス操作インターフェース内の指定された操作ボタンの操作状況を特定するステップと；を備える、
サービス完了状況を表示するための情報処理方法。
【請求項２】
前記計数ユニットによって現在表示されているサービス項目完了情報に基づき、前記サービス操作インターフェース内の指定された操作ボタンの操作状況を特定する前記ステップは：
前記計数ユニットの記入されたサービス項目の数が所定のサービス完了進捗要件を満たしている場合、前記サービス操作インターフェース内の前記指定された操作ボタンをアクティブにするステップを備える、
請求項１に記載の情報処理方法。
【請求項３】
サービス項目の総数と記入されたサービス項目の数とを示す計数ユニットを、前記サービス操作インターフェース内の所定位置に表示する前記ステップは：
サービス項目の総数と記入されたサービス項目の数とを示す前記計数ユニットを、前記サービス操作インターフェース内の指定された操作ボタン上に配置するステップを備える、
請求項１に記載の情報処理方法。
【請求項４】
前記指定された操作ボタンの属性情報である、透明度、色相、明度、純度、サイズ、及び形状のうちの少なくとも１つを取得するステップと；
記入されたサービス項目の数と所定の属性値変更規則とに基づき、前記属性情報の値を変えるステップと；を更に備える、
請求項１に記載の情報処理方法。
【請求項５】
前記属性情報が透明度であり、
これに応じ、前記計数ユニットの記入されたサービス項目の数が最小値から最大値へ変化するのに伴い、前記指定された操作ボタンの透明度が第１の透明度値から第２の透明度値へ変化する、
請求項４に記載の情報処理方法。
【請求項６】
前記第１のタイプのサービス項目と前記第２のタイプのサービス項目とが：
前記第１のタイプのサービス項目が前記サービス操作インターフェース内の全てのサービス項目であり、前記第２のタイプのサービス項目も前記サービス操作インターフェース内の全てのサービス項目であり；これに応じ、前記計数ユニットによって現在表示されているサービス項目完了情報に基づき、前記サービス操作インターフェース内の指定された操作ボタンの操作状況を特定する前記ステップが、前記計数ユニットの記入されたサービス項目の数が記入されたサービス項目の所定の最小閾値以上である場合に、前記サービス操作インターフェース内の前記指定された操作ボタンがアクティブにされる方法；
前記第１のタイプのサービス項目が前記サービス操作インターフェース内の全てのサービス項目であり、前記第２のタイプのサービス項目が全てのサービス項目のうちの必須サービス項目であり；これに応じ、前記サービス操作インターフェース内の記入されたサービス項目の数が必須サービス項目の総数に達すると、前記サービス操作インターフェース内の前記指定された操作ボタンがアクティブにされる方法；及び、
前記第１のタイプのサービス項目が全てのサービス項目のうちの必須サービス項目であり、前記第２のタイプのサービス項目も全てのサービス項目のうちの必須サービス項目であり；これに応じ、前記サービス操作インターフェース内の記入されたサービス項目の数が必須サービス項目の総数に達すると、前記サービス操作インターフェース内の前記指定された操作ボタンがアクティブにされる方法；のいずれか１つを用いて設定される、
請求項１に記載の情報処理方法。
【請求項７】
前記指定された操作ボタンをクリックすることにより前記ユーザによって送信されたサービス項目データを検証するステップと；
送信されたサービス項目のうちの必須項目が操作要件を満たしていないことを検証結果が示す場合、前記操作要件を満たしていない必須項目の数を前記計数ユニットの記入されたサービス項目の数から減算し、前記指定された操作ボタンを無効にするステップと；を更に備える、
請求項１に記載の情報処理方法。
【請求項８】
前記操作要件を満たしていない前記必須項目を前記ユーザが修正した後、前記ユーザによって送信されたデータを検証するステップと；
少なくとも１つの修正された必須項目が前記操作要件を満たしていることを検証結果が示す場合、前記操作要件を満たしている必須項目の数を計数し、前記計数ユニットの記入されたサービス項目の数を、前記操作要件を満たしている必須項目の数に設定するステップと；
必須項目全てが前記操作要件を満たしている場合、前記指定された操作ボタンを再度アクティブにするステップと；を更に備える、
請求項７に記載の情報処理方法。
【請求項９】
サービス完了状況を表示するための情報処理デバイスであって：
サービス操作インターフェース内の第１のタイプのサービス項目の数に基づき、サービス項目の総数を特定するように構成されたサービス項目総数特定ユニットと；
ユーザによって記入された前記サービス操作インターフェース内の第２のタイプのサービス項目の数を検出して、記入されたサービス項目の数を特定するように構成された記入済サービス項目数特定ユニットと；
サービス項目の総数と記入されたサービス項目の数とを計数し、前記サービス操作インターフェース内の所定位置に表示するように構成された計数及び表示ユニットと；
前記計数ユニットによって現在表示されているサービス項目完了情報に基づき、前記サービス操作インターフェース内の指定された操作ボタンの操作状況を特定するように構成された操作状況設定ユニットと；を備える、
サービス完了状況を表示するための情報処理デバイス。
【請求項１０】
前記操作状況設定ユニットが、前記計数ユニットによって現在表示されているサービス項目完了情報に基づき、前記サービス操作インターフェース内の指定された操作ボタンの操作状況を特定することが：
前記記入済サービス項目数特定ユニットにおける記入されたサービス項目の数が所定のサービス完了進捗要件を満たしている場合、アクティブ状態設定ユニットにより、前記サービス操作インターフェース内の前記指定された操作ボタンをアクティブにするステップを備える、
請求項９に記載の情報処理デバイス。
【請求項１１】
前記計数及び表示ユニットは：
サービス項目の総数と記入されたサービス項目の数とを示す前記計数ユニットを、前記サービス操作インターフェース内の指定された操作ボタン上に配置するように構成されたボタン配置ユニットを備える、
請求項９に記載の情報処理デバイス。
【請求項１２】
前記指定された操作ボタンの属性情報である透明度、色相、明度、純度、サイズ、及び形状のうちの少なくとも１つを取得するように構成された属性情報取得ユニットと：
記入されたサービス項目の数と所定の属性値変更規則とに基づき、前記属性情報の値を変えるように構成された属性値変更ユニットと；を更に備える、
請求項９に記載の情報処理デバイス。
【請求項１３】
前記属性情報が透明度であり、
これに応じ、前記属性値変更ユニットが記入されたサービス項目の数と所定の属性値変更規則とに基づき前記属性情報の値を変更することが：
前記計数ユニットの記入されたサービス項目の数が最小値から最大値へ変化するのに伴い、前記属性値変更ユニットにより、前記指定された操作ボタンの透明度を第１の透明度値から第２の透明度値へと変化するステップを備える、
請求項１２に記載の情報処理デバイス。
【請求項１４】
前記第１のタイプのサービス項目と前記第２のタイプのサービス項目とが：
前記第１のタイプのサービス項目が前記サービス操作インターフェース内の全てのサービス項目であり、前記第２のタイプのサービス項目も前記サービス操作インターフェース内の全てのサービス項目であり；これに応じ、前記計数ユニットによって現在表示されているサービス項目完了情報に基づき、前記サービス操作インターフェース内の指定された操作ボタンの操作状況を特定する前記ステップが、前記計数ユニットの記入されたサービス項目の数が記入されたサービス項目の所定の最小閾値以上である場合、前記サービス操作インターフェース内の前記指定された操作ボタンがアクティブにされる方法；
前記第１のタイプのサービス項目が前記サービス操作インターフェース内の全てのサービス項目であり、前記第２のタイプのサービス項目が全てのサービス項目のうちの必須サービス項目であり；これに応じ、前記サービス操作インターフェース内の記入されたサービス項目の数が必須サービス項目の総数に到達すると、前記サービス操作インターフェース内の前記指定された操作ボタンがアクティブにされる方法；及び
前記第１のタイプのサービス項目が全てのサービス項目のうちの必須サービス項目であり、前記第２のタイプのサービス項目も全てのサービス項目のうちの必須サービス項目であり；これに応じ、前記サービス操作インターフェース内の記入されたサービス項目の数が必須サービス項目の総数に達すると、前記サービス操作インターフェース内の前記指定された操作ボタンがアクティブにされる方法；のいずれか１つを用いて設定される、
請求項９に記載の情報処理デバイス。
【請求項１５】
前記指定された操作ボタンをクリックすることにより前記ユーザによって送信されたサービス項目データを検証するように構成された第１の検証ユニットと；
送信されたサービス項目のうちの必須項目が操作要件を満たしていないことを検証結果が示す場合、前記操作要件を満たしていない必須項目の数を前記計数ユニットの記入されたサービス項目の数から減算し、前記指定された操作ボタンを無効にするように構成されたボタン無効化ユニットと；を更に備える、
請求項９に記載の情報処理デバイス。
【請求項１６】
前記操作要件を満たしていない前記必須項目を前記ユーザが修正した後、前記ユーザによって送信されたデータを検証するように構成された第２の検証ユニットと；
少なくとも１つの修正された必須項目が前記操作要件を満たしていることを前記第２の検証ユニットによって取得された検証結果が示す場合、前記操作要件を満たしている必須項目の数を計数し、前記計数ユニットの記入されたサービス項目の数を、前記操作要件を満たしている必須項目の数に設定するように構成された修正・設定ユニットと；
必須項目全てが前記操作要件を満たしている場合、前記指定された操作ボタンを再度アクティブにするように構成された再アクティブ化ユニットと；を更に備える、
請求項１５に記載の情報処理デバイス。
【発明の詳細な説明】
【技術分野】
【０００１】
本願は、２０１６年２月１７日に提出され「サービス完了状況を表示するための情報処理方法及びデバイス」と題された中国特許出願第２０１６１００９００６８．２号の優先権を主張し、上記中国特許出願は参照によってその全体が本願に組み込まれる。
【０００２】
本願はネットワークデータ処理技術の分野に関し、特に、サービス完了状況を表示するための情報処理方法及びデバイスに関する。
【背景技術】
【０００３】
インターネット技術の急速な発達に伴い、多くの企業、銀行、及び政府機関が、オンラインプラットフォームを通じてユーザに対しサービスを提供している。そのため、これらのプラットフォームは、個人向けサービス処理効率を高め、サービス処理コストを低減できる。オンラインプラットフォームのセキュリティ及びユーザのサービス状況のトレーサビリティを確保するため、ユーザは通常、ウェブサイトのアカウント申請を行う際、個人登録情報を提供する必要がある。ユーザがアカウントをウェブサイトに登録する際、ウェブサイトは通常、ウェブページ上でユーザに個人情報登録フォームを提供し、対応する登録情報を記入するようにユーザに要求する。情報登録フォームは通常、プライマリボタンを含み、ユーザは、プライマリボタンを使って情報登録フォームをウェブサイトへ送信する。
【０００４】
既存の技術においては、プライマリボタンは、ユーザが情報登録フォームに記入しているときは無効にされ、ユーザが情報登録フォームへの記入を終えた後にアクティブとすることができる。上記の情報インタラクション（相互作用）の表示方法は、とりわけ、登録フォームが多数のフィールドを含む場合、現在の登録フォームへの記入の進捗状況に関してユーザを混乱させる可能性がある。したがって、こうした無効にされたプライマリボタンに基づく単純な情報インタラクションの表示方法は、ユーザエクスペリエンスの妨げとなる。
【発明の概要】
【０００５】
本願の実施は、現在のサービス完了状況をユーザに表示し、ユーザエクスペリエンスを向上させるための情報処理方法及びデバイスを提供する。
【０００６】
本願の実施において提供されるサービス完了状況を表示するための情報処理方法及びデバイスは、下記のように実施される。
【０００７】
サービス完了状況を表示するための情報処理方法が提供される。この方法は：サービス操作インターフェース内の第１のタイプのサービス項目の数に基づき、サービス項目の総数を特定するステップと；ユーザによって記入された前記サービス操作インターフェース内の第２のタイプのサービス項目の数を検出して、記入されたサービス項目の数を特定するステップと；サービス項目の総数と記入されたサービス項目の数とを示す計数ユニットを前記サービス操作インターフェース内の所定位置に表示するステップと；前記計数ユニットによって現在表示されているサービス項目完了情報に基づき、前記サービス操作インターフェース内の指定された操作ボタンの操作状況を特定するステップと；を含む。
【０００８】
サービス完了状況を表示するための情報処理デバイスが提供される。このデバイスは、サービス操作インターフェース内の第１のタイプのサービス項目の数に基づき、サービス項目の総数を特定するように構成されたサービス項目総数特定ユニットと；ユーザによって記入された前記サービス操作インターフェース内の第２のタイプのサービス項目の数を検出して、記入されたサービス項目の数を特定するように構成された記入済サービス項目数特定ユニットと；サービス項目の総数と記入されたサービス項目の数とを計数し、前記サービス操作インターフェース内の所定位置に表示するように構成された計数及び表示ユニットと；前記計数ユニットによって現在表示されているサービス項目完了情報に基づき、前記サービス操作インターフェース内の指定された操作ボタンの操作状況を特定するように構成された操作状況設定ユニットと；を含む。
【０００９】
本願に記載のサービス完了状況を表示するための情報処理方法及びデバイスによると、現在のサービス項目完了進捗情報をユーザに対して表示でき、サービス完了情報に基づいて、指定された操作ボタンの操作状況を設定できる。ユーザは、記入されたサービス項目の数と必須サービス項目の総数とを明確に認識することができる。そのため、ユーザエクスペリエンスが向上する。加えて、ページフォーム内の指定された操作ボタンの属性情報である透明度、色相、明度、純度、サイズ及び形状等のうちの１つ以上が、ユーザの情報入力の進捗に伴い変化する。そのため、ユーザは、現在のサービス項目完了の進捗をより意識できるようになり、ユーザエクスペリエンスを更に向上させることができる。
【図面の簡単な説明】
【００１０】
本願の実施又は既存の技術における技術的解決策をより明確に説明するため、実施又は先行技術の説明に必要な添付の図面について以下に簡単に述べる。明らかに、下記の記載における添付の図面は、本願の一部の実施を示すに過ぎず、当業者は、これらの添付の図面に基づき創造的活動を要することなく他の図面を導き出すことができるであろう。
【００１１】
【図１】図１は、本願の実施に係る、サービス完了状況を表示するための情報処理方法を示すフローチャートである。
【００１２】
【図２】図２は、本願の実施に係る、送信ボタン上に配置された計数ユニットを示す概略図である。
【００１３】
【図３】図３は、本願に係る、入力情報送信の進捗に伴う送信ボタン透明度の変化を示す概略図である。
【００１４】
【図４】図４は、本願の実施に係る、ユーザによって送信されたデータを検証する方法を示すフローチャートである。
【００１５】
【図５ａ】図５ａは、本願に係る、所定のサービス完了進捗要件が満たされた場合のサービス操作インターフェースを示す状態図である。
【００１６】
【図５ｂ】図５ｂは、本願に係る、検証後に操作要件が満たされていない場合のサービス操作インターフェースを示す状態図である。
【００１７】
【図６】図６は、本願に係る、ユーザによって修正されたデータを検証するアプリケーションシナリオを示す概略図である。
【００１８】
【図７】図７は、本願の実施に係る、サービス完了状況を表示するための情報処理デバイスを示す概略構造図である。
【００１９】
【図８】図８は、本願の別の実施に係る、サービス完了状況を表示するための情報処理デバイスを示す概略構造図である。
【００２０】
【図９】図９は、本願の別の実施に係る、サービス完了状況を表示するための情報処理デバイスを示す概略構造図である。
【発明を実施するための形態】
【００２１】
本願における技術的解決策をより深く当業者に理解させるべく、本願の実施における技術的解決策を、本願の実施における添付の図面を参照して明確かつ完全に以下説明する。明らかに、記載の実施は、本願の実施のうちの一部に過ぎず、全てではない。本願の実施に基づき創造的活動を要することなく当業者によって得られる他の実施は全て、本願の保護範囲内に含まれる。
【００２２】
本願におけるサービス完了状況を表示するための情報処理方法を、添付の図面を参照して以下に詳細に記載する。図１は、本願の実施に係る、サービス完了状況を表示するための情報処理方法を示すフローチャートである。本願は、下記の実施又は添付の図面に記載する方法の操作ステップを提供するが、当該方法は、従来技術又は非創造的な活動に基づき、これよりも多数の操作ステップ又はこれよりも少数の操作ステップのものを含むことができる。必要な論理的要因を持たないステップにおいて、これらのステップの実行順序は、本願の本実施において提供される実行順序に限定されない。この方法は、本実施若しくは添付の図面に基づき、実際のメモリ割付けプロセス又は実際のデバイス上で、順次又は並列（例えば、並列プロセッサ又はマルチスレッド処理環境により）に実行できる。
【００２３】
図１は、本願において提供されるサービス完了状況を表示するための情報処理方法の実施を示す。この方法は、下記のステップを含むことができる。
【００２４】
Ｓ１：サービス操作インターフェース内の第１のタイプのサービス項目の数に基づき、サービス項目の総数を特定する。
【００２５】
本実施において、サービス操作インターフェースは、複数の第１のタイプのサービス項目を含むウェブサイトページの形態、例えば、ウェブサイトのユーザ情報登録ページ、試験申込情報登録ページ、ユーザフィードバック調査報告ページ、又はユーザアカウントアピール情報送信ページとすることができる。サービス操作インターフェースは通常、第１のタイプのサービス項目、例えばユーザ名、パスワード、電子メールアドレス、携帯電話番号、及び住所を含む。第１のタイプのサービス項目は、サービス操作インターフェース内に入力フィールドとして表示できる。ユーザは、データを入力フィールドへ入力できる。データは、テキスト、数字、文字、符号などのタイプの１つ以上とすることができる。
【００２６】
ユーザの現在の完了進捗状況を、第１のタイプのサービス項目の総数と、ユーザによって記入されたサービス項目であるサービス操作インターフェース内の第２のタイプのサービス項目の数とを特定することにより取得できる。実際のアプリケーションシナリオにおいて、サービス操作インターフェースは、必須サービス項目と任意サービス項目とを含むことができる。本願の実施において、第１のタイプのサービス項目のうちの必須項目を、第２のタイプのサービス項目と定義できる。例えば、ウェブサイトのユーザ情報登録ページ上で、ユーザ名、パスワード、電子メールアドレス、及び携帯電話番号を必須サービス項目として設定できる。必須サービス項目は、ユーザが記入する必要があるサービス項目である。任意サービス項目は、ユーザが記入することも記入しないこともできるサービス項目である。例えば、第１のタイプのサービス項目のうちの携帯電話番号及び住所は、任意サービス項目である。当然、第２のタイプのサービス項目は、実際のアプリケーションシナリオの必要性に基づき設定することもできる。例えば、本願の他の実施において、第２のタイプのサービス項目は、ユーザ情報登録ページ上の第１のタイプのサービス項目と同一とすることができる。
【００２７】
本願の実施において、第１のタイプのサービス項目は、サービス操作インターフェース内の全てのサービス項目とすることができる。換言すると、ここでいうサービス項目の総数は、必須サービス項目と任意サービス項目との総数である。本願の別の実施において、第１のタイプのサービス項目は、サービス操作インターフェース内の必須サービス項目とすることができる。換言すると、ここでいうサービス項目の総数は、必須サービス項目の数である。例えば、或るアプリケーションシナリオにおいて、ウェブサイトのユーザ情報登録ページは、１２のサービス項目、例えば８つの必須サービス項目と４つの任意サービス項目とを含む。上記１つ目の実施においては、サービス項目の総数は１２に設定できる。上記２つ目の実施においては、サービス項目の総数は８に設定できる。
【００２８】
Ｓ２：ユーザによって記入されたサービス操作インターフェース内の第２のタイプのサービス項目の数を検出して、記入されたサービス項目の数を特定する。
【００２９】
本実施において、第２のタイプのサービス項目は、ユーザによって記入されたサービス項目を含むことができ、第２のタイプのサービス項目は、第１のタイプのサービス項目に含まれる。本願の実施において、第２のタイプのサービス項目は、サービス操作インターフェース内の全てのサービス項目とすることができる。換言すると、ここでいう記入されたサービス項目の数は、ユーザによって記入された必須サービス項目と任意サービス項目との総数である。本願の別の実施において、第２のタイプのサービス項目は、全てのサービス項目のうちの必須サービス項目とすることができる。換言すると、ここでいう記入されたサービス項目の総数は、ユーザによって記入された必須サービス項目の数である。
【００３０】
本実施においては、クライアント又はサービス操作インターフェースに対応するバックエンドサーバに、カウンタを配置できる。カウンタは、ユーザによって記入された第２のタイプのサービス項目の数を計数するために用いられる。カウンタの最大計測数を、サービス項目の総数に設定できる。本実施において、ユーザがサービス操作インターフェース内の１つの第２のタイプのサービス項目を記入する度に、カウンタの計測数を増やすことができる。ユーザが第２のタイプのサービス項目を記入したか否かは、第２のタイプのサービス項目の入力フィールドにおけるカーソルの動きを検出することにより特定できる。カーソルが現在の第２のタイプのサービス項目の入力フィールドを離れた場合、ユーザが第２のタイプのサービス項目を記入した、と特定できる。この場合、カウンタの計測数を１だけ増やすことができる。本願の実施において、カーソルが現在の第２のタイプのサービス項目の入力フィールドを離れることは、カーソルが次の第２のタイプのサービス項目の入力フィールドへ移動することを意味することができる。例えば、カーソルは、ユーザ名入力フィールドからパスワード入力フィールドへ移動する。本願の別の実施において、カーソルが現在の所定の入力フィールドを離れることは、ユーザが現在の第２のタイプのサービス項目の入力フィールドに対応する操作ボタンをクリックすることを意味することができる。操作ボタンをクリックすることは、ユーザが第２のタイプのサービス項目を記入したことを意味することができる。
【００３１】
本願のアプリケーションシナリオにおいて、ウェブサイトのユーザ情報登録ページは、４つの第１のタイプのサービス項目を含み、カウンタの初期値は、０に設定され、カウンタの総計測数は４に設定される。ユーザが、ユーザ名を入力することにより１つの第２のサービス項目を記入すると、計測数が１だけ増え、記入されたサービス項目の数は１となる。ユーザが４つの第２のタイプのサービス項目にデータを入力し終えると、記入されたサービス項目の数は４となる。
【００３２】
Ｓ３：サービス項目の総数と記入されたサービス項目の数とを示す計数ユニットをサービス操作インターフェース内の所定位置に表示する。
【００３３】
本実施において、カウンタによって取得される記入されたサービス項目の数とサービス項目の総数とを、サービス操作インターフェース内の所定位置に計数ユニットとして表示できる。計数ユニットは、テキスト記述、数字、パーセンテージ、プログレスバーなどのいずれか１つを含むことができる。例えば、テキスト記述「１４項目のうちの１２項目」、「１２項目入力済み、２項目入力待ち」、又は数字「１２／１４」と、表示できる。計数ユニットは、サービス操作インターフェース内の所定位置に表示できる。計数ユニットは、サービス操作インターフェースの下部又は右側中央の位置に表示できる。或いは、計数ユニットは、サービス操作インターフェースがスクロールする場合、あるいはサービス操作インターフェースが画面の真の中央に表示する場合は、フローティングウィンドウとしてサービス操作インターフェースに表示することができる。
【００３４】
本実施において、サービス項目の総数と記入されたサービス項目の数とを示す計数ユニットを、サービス操作インターフェース内の指定された操作ボタン上に配置できる。指定された操作ボタンは、送信用ボタン、保存用ボタン、変更用ボタン、又はサービス操作キャンセル用ボタンとすることができる。図２は、本願の実施による、送信（提出）ボタン上に配置された計数ユニットを示す概略図である。図２に示すように、ユーザは、ウェブサイトのユーザ情報登録ページ上で、３つの第２のタイプのサービス項目についてデータを既に入力している。この場合、ユーザが３つの第２のタイプのサービス項目についてデータを既に入力し、データが入力されていない第２のタイプのサービス項目がもう１つあることをユーザに認識させるため、数字「３／４」が送信ボタン上に設定される。
【００３５】
本願の別の実施において、この方法は、指定された操作ボタンの属性情報である透明度、色相、明度、純度、サイズ及び形状のうちの少なくとも１つを取得するステップと；記入されたサービス項目の数と所定の属性値変更規則に基づき、属性情報の値を変更するステップと；を更に含むことができる。
【００３６】
属性情報である透明度、色相、明度及び純度のうちの少なくとも１つを、サービス操作インターフェース内の指定された操作ボタンについて設定できる。透明度、色相、明度又は純度の値は、記入されたサービス項目の数と所定の変更規則とに基づき変更できる。送信ボタンは、指定された操作ボタンの光透過率を反映できる。例えば、送信ボタンの透明度を、ユーザが４つの第１のタイプのサービス項目のうち１つについてデータを入力した場合は７５％に、ユーザが２つのサービス項目についてデータを入力した場合は５０％に、ユーザが３つのサービス項目についてデータを入力した場合は２５％に、ユーザが４つのサービス項目についてデータを入力した場合は１００％に設定できる。色相を用いて色を区別できる。色を、光の異なる波長に基づき赤、黄、緑、及び紫に設定できる。例えば、送信ボタンの色相を、ユーザが４つの第１のタイプのサービス項目のうち１つについてデータを入力した場合は赤に、ユーザが２つのサービス項目についてデータを入力した場合は黄に、ユーザが３つのサービス項目についてデータを入力した場合は緑に、ユーザが４つのサービス項目についてデータを入力した場合は紫に設定する。明度は、色の明度を反映する。例えば、黒からグレーへ、次いで白への色変更は、色の明度の変更である。純度は、色に含まれる着色成分の割合である。
【００３７】
属性情報が透明度である場合、計数ユニットの記入されたサービス項目の数が最小値から最大値へ変化するのに伴い、指定された操作ボタンの透明度は第１の透明度値から第２の透明度値へ変化することができる。図３は、本願による、入力情報送信の進捗に伴う送信ボタン透明度の変化を示す概略図である。図３に示すよう送信ボタンの透明度は、第２のタイプのサービス項目が全く記入されていないときは１００％であり、ユーザが１つ、２つ、３つ、及び４つの第２のタイプのサービス項目を記入すると、それぞれ８０％、６０％、４０％、及び２０％となる。
【００３８】
Ｓ４：計数ユニットによって表示されている現在のサービス項目完了情報に基づき、サービス操作インターフェース内の指定された操作ボタンの操作状況を特定する。
【００３９】
本実施において、計数ユニットによって表示されている現在のサービス項目完了情報に基づき、指定された操作ボタンの操作状況を特定できる。計数ユニットによって表示されている現在のサービス項目完了情報に基づき、サービス操作インターフェース内の指定された操作ボタンの操作状況を特定するステップは、計数ユニットの記入されたサービス項目の数が所定のサービス完了進捗要件を満たしている場合、サービス操作インターフェース内の指定された操作ボタンをアクティブにするステップを含むことができる。
【００４０】
所定のサービス完了進捗要件は、ユーザによって記入されたサービス項目の数が記入されたサービス項目の所定の最小閾値以上であること、又はユーザが全てのサービス項目のうち必須サービス項目を記入したこと、とすることができる。第１のタイプのサービス項目と第２のタイプのサービス項目とを設定する異なる方法に基づけば、計数ユニットによって現在表示されているサービス項目完了情報に基づき、サービス操作インターフェース内の指定された操作ボタンの操作状況を特定するステップは、以下のケースを含むことができる。
【００４１】
第１のタイプのサービス項目がサービス操作インターフェース内の全てのサービス項目であり、第２のタイプのサービス項目もサービス操作インターフェース内の全てのサービス項目である。これに応じ、計数ユニットによって現在表示されているサービス項目完了情報に基づき、サービス操作インターフェース内の指定された操作ボタンの操作状況を特定するステップは、計数ユニットの記入されたサービス項目の数が記入されたサービス項目の所定の最小閾値以上である場合に、サービス操作インターフェース内の指定された操作ボタンをアクティブにするステップを含む。例えば、ウェブサイトのユーザ情報登録ページは１２のサービス項目を含む。第１のタイプのサービス項目を１２のサービス項目全てとすることができ、第２のタイプのサービス項目も１２のサービス項目全てとすることができる。記入されたサービス項目の所定の最小閾値は８である。ウェブサイトのユーザ情報登録ページ内の送信ボタンは、ユーザが８つの第２のタイプのサービス項目を記入するとアクティブとなる。
【００４２】
第１のタイプのサービス項目がサービス操作インターフェース内の全てのサービス項目であり、第２のタイプのサービス項目が全てのサービス項目のうちの必須サービス項目である。これに応じ、サービス操作インターフェース内の記入されたサービス項目の数が必須サービス項目の総数に達すると、サービス操作インターフェース内の指定された操作ボタンがアクティブにされる。例えば、ウェブサイトのユーザ情報登録ページ上の１２のサービス項目が、９つの必須サービス項目を含む。第１のタイプのサービス項目は１２のサービス項目全てであり、第２のタイプのサービス項目は９つの必須サービス項目である。ウェブサイトのユーザ情報登録ページ上の送信ボタンは、９つの第２のタイプのサービス項目が記入されるとアクティブとなる。
【００４３】
第１のタイプのサービス項目が全てのサービス項目のうちの必須サービス項目であり、第２のタイプのサービス項目も全てのサービス項目のうちの必須サービス項目である。これに応じ、サービス操作インターフェース内の記入されたサービス項目の数が必須サービス項目の総数に達すると、サービス操作インターフェース内の指定された操作ボタンがアクティブとなる。例えば、ウェブサイトのユーザ情報登録ページ上で、第１のタイプのサービス項目が９つの必須サービス項目であり、第２のタイプのサービス項目も９つの必須サービス項目である。ウェブサイトのユーザ情報登録ページ上の送信ボタンは、９つの必須サービス項目全てが記入されるとアクティブとなる。
【００４４】
本願の別の実施において、ユーザによって送信されたサービス項目を検証できる。図４は、本願の実施による、ユーザによって送信されたデータを検証する方法を示すフローチャートである。図４に示すように、方法は、下記のステップを更に含むことができる：
【００４５】
Ｓ１１：指定された操作ボタンをクリックすることによりユーザによって送信されたサービス項目データを検証する。
【００４６】
指定された操作ボタンは、記入されたサービス項目の数が所定のサービス完了進捗要件を満たす場合、アクティブにされる。ユーザは、指定された操作ボタンをクリックして、記入されたサービス項目を送信できる。本実施において、ユーザによって送信されたサービス項目を検証できる。データ検証中、ユーザによって送信されたサービス項目データは、サービス項目に対応する所定の規則と比較できる。所定の規則は、セキュリティ、格納の利便性などを考慮して設定できる。例えば、ユーザ名の入力に関する所定の規則は、文字、特殊符号、及び数字からなる８ビット符号であり、且つ大文字、小文字、及び数字を含まねばならないとすることができる。
【００４７】
Ｓ１２：送信されたサービス項目のうちの必須項目が操作要件を満たしていないことを検証結果が示す場合、操作要件を満たしていない必須項目の数を計数ユニットの記入されたサービス項目の数から減算し、指定された操作ボタンを無効にする。
【００４８】
送信されたサービス項目のうちの必須項目が操作要件を満たしていないことを検証結果が示す場合、操作要件を満たしていない必須項目の数を計数ユニットの記入されたサービス項目の数から減算でき、指定された操作ボタンを無効にできる。本願の実施において、図５ａは、本願に係る、所定のサービス完了進捗要件が満たされた場合のサービス操作インターフェースを示す状態図である。この場合、送信ボタンはアクティブにされている。ユーザが送信ボタンをクリックした後、ユーザによって送信された情報が検証される。検証後、ユーザ名と携帯電話番号とが操作要件を満たしていないことが検出される。図５ｂは、本願に係る、検証後に操作要件が満たされていない場合のサービス操作インターフェースを示す状態図である。図５ｂに示すように、２が計数ユニットの記入されたサービス項目の数から減算され、送信ボタンが無効にされている。
【００４９】
送信されたサービス項目のうちの必須項目が操作要件を満たしていないことを検証結果が示す場合、対応するサービス項目の入力フィールド又はサービス項目の入力フィールドの所定の範囲にプロンプト情報を更に設定できることは特に留意すべきである。プロンプト情報は、サービス項目に対応する操作要件を表示し、ユーザに操作要件を満たすデータを入力するように促すために用いられる。例えば、図５ｂに示すように、所定のユーザ名入力規則がユーザ名入力フィールドの下に表示され、「別のユーザ名を入力してください」とのプロンプト情報がユーザ名入力フィールドの右側に表示される。
【００５０】
操作要件を満たしていない必須項目をユーザが修正した後、ユーザによって送信されたデータは、検証が続けられる。この方法は、下記のステップを更に含む。
【００５１】
Ｓ１３：操作要件を満たしていない必須項目をユーザが修正した後、ユーザによって送信されたデータを検証する。
【００５２】
Ｓ１４：少なくとも１つの修正された必須項目が操作要件を満たしていることを検証結果が示す場合、操作要件を満たしている必須項目の数を計数し、計数ユニットの記入されたサービス項目の数を、操作要件を満たしている必須項目の数に設定する。
【００５３】
加えて、必須項目全てが操作要件を満たしている場合、指定された操作ボタンが再度アクティブにされる。
【００５４】
図６は、本願に係る、ユーザによって修正されたデータを検証するアプリケーションシナリオを示す概略図である。図６に示すように、ユーザが操作要件を満たしていない必須項目に関するデータを修正した後、修正されたデータが操作要件を満たしていることが検証される。この場合、送信ボタンが再度アクティブにされる。
【００５５】
本願に記載のサービス完了状況を表示するための情報処理方法によると、現在のサービス項目完了進捗情報をユーザに対して表示でき、サービス完了情報に基づき指定された操作ボタンの操作状況を設定できる。ユーザは、記入されたサービス項目の数と必須サービス項目の総数とを明確に視認することができる。そのため、ユーザエクスペリエンスは向上する。加えて、ページフォーム内の指定された操作ボタンの属性情報である透明度、色相、明度、純度、サイズ及び形状等のうちの１つ以上が、ユーザの情報入力の進捗に伴い変化する。そのため、ユーザは、現在のサービス項目完了の進捗をより意識できるようになり、ユーザエクスペリエンスを更に向上させることができる。
【００５６】
本願の別の態様は、サービス完了状況を表示するための情報処理デバイスを更に提供する。図７は、本願の実施に係る、サービス完了状況を表示するための情報処理デバイスのモジュール構造を示す概略図である。図７に示すように、デバイスは：サービス操作インターフェース内の第１のタイプのサービス項目の数に基づき、サービス項目の総数を特定するように構成されたサービス項目総数特定ユニット７１；ユーザによって記入されたサービス操作インターフェース内の第２のタイプのサービス項目の数を検出し、記入されたサービス項目の数を特定するように構成された記入済サービス項目数特定ユニット７２；サービス項目の総数と記入されたサービス項目の数とを計数し、サービス操作インターフェース内の所定位置に表示するように構成された計数及び表示ユニット７３；及び計数ユニットによって現在表示されているサービス項目完了情報に基づき、サービス操作インターフェース内の指定された操作ボタンの操作状況を特定するように構成された操作状況設定ユニット７４；を含むことができる。
【００５７】
本願の実施において、操作状況設定ユニット７４は、計数ユニットによって現在表示されているサービス項目完了情報に基づき、サービス操作インターフェース内の指定された操作ボタンの操作状況を特定し、記入済サービス項目数特定ユニットにおける記入されたサービス項目の数が所定のサービス完了進捗要件を満たしている場合、アクティブ状態設定ユニットにより、サービス操作インターフェース内の指定された操作ボタンをアクティブにするステップを含む。
【００５８】
本願の別の実施において、計数及び表示ユニット７３は、サービス項目の総数と記入されたサービス項目の数とを示す計数ユニットを、サービス操作インターフェース内の指定された操作ボタン上に配置するように構成されたボタン配置ユニットを含むことができる。
【００５９】
計数ユニットを指定された操作ボタン上に配置するステップは、完了進捗状況を、指定された操作ボタンに関連付けることができるだけでなく、ユーザエクスペリエンスを向上させることもできる。
【００６０】
図８は、本願の別の実施に係る、サービス完了状況を表示するための情報処理デバイスのモジュール構造を示す概略図である。図８に示すように、デバイスは、指定された操作ボタンの属性情報である透明度、色相、明度、純度、サイズ及び形状のうちの少なくとも１つを取得するように構成された属性情報取得ユニット８１、及び記入されたサービス項目の数と所定の属性値変更規則とに基づき、属性情報の値を変えるように構成された属性値変更ユニット８２を更に含むことができる。
【００６１】
本願の実施において、属性情報は透明度である。これに応じ、属性値変更ユニットが、記入されたサービス項目の数と所定の属性値変更規則とに基づき属性情報の値を変えることは：計数ユニットの記入されたサービス項目の数が最小値から最大値へ変化するのに伴い、属性値変更ユニットにより、指定された操作ボタンの透明度を第１の透明度値から第２の透明度値へ変化するステップを含む。
【００６２】
本願の別の実施において、第１のタイプのサービス項目と第２のタイプのサービス項目とは、下記方法のうちのいずれか１つを用いて設定できる：
第１のタイプのサービス項目がサービス操作インターフェース内の全てのサービス項目であり、第２のタイプのサービス項目もサービス操作インターフェース内の全てのサービス項目である。これに応じ、操作状況設定ユニット７４は、計数ユニットの記入されたサービス項目の数が記入されたサービス項目の所定の最小閾値以上である場合、サービス操作インターフェース内の指定された操作ボタンをアクティブにするように構成される。
第１のタイプのサービス項目がサービス操作インターフェース内の全てのサービス項目であり、第２のタイプのサービス項目が全てのサービス項目のうちの必須サービス項目である。これに応じ、操作状況設定ユニット７４は、サービス操作インターフェース内の記入されたサービス項目の数が必須サービス項目の総数に達すると、サービス操作インターフェース内の指定された操作ボタンをアクティブにするように構成される。
更に、第１のタイプのサービス項目が全てのサービス項目のうちの必須サービス項目であり、第２のタイプのサービス項目も全てのサービス項目のうちの必須サービス項目である。これに応じ、操作状況設定ユニット７４は、サービス操作インターフェース内の記入されたサービス項目の数が必須サービス項目の総数に達すると、サービス操作インターフェース内の指定された操作ボタンをアクティブにするように構成される。
【００６３】
図９は、本願の別の実施に係る、サービス完了状況を表示するための情報処理デバイスのモジュール構造を示す概略図である。図９に示すように、デバイスは、指定された操作ボタンをクリックすることによりユーザによって送信されたサービス項目データを検証するように構成された第１の検証ユニット９１と；送信されたサービス項目のうちの必須項目が操作要件を満たしていないことを検証結果が示す場合、操作要件を満たしていない必須項目の数を計数ユニットの記入されたサービス項目の数から減算し、指定された操作ボタンを無効にするように構成されたボタン無効化ユニット９２と；操作要件を満たしていない前記必須項目を前記ユーザが修正した後、ユーザによって送信されたデータを検証するように構成された第２の検証ユニット９３と；少なくとも１つの修正された必須項目が操作要件を満たしていることを第２の検証ユニット９３によって取得された検証結果が示す場合に、操作要件を満たしている必須項目の数を計数し、計数ユニットの記入されたサービス項目の数を、操作要件を満たしている必須項目の数に設定するように構成された修正・設定ユニット９４と；必須項目全てが操作要件を満たしている場合、指定された操作ボタンを再度アクティブにするように構成された再アクティブ化ユニット９５と；を更に含むことができる。
【００６４】
本願に記載のサービス完了状況を表示するための情報処理デバイスによると、現在のサービス項目完了進捗情報をユーザに対して表示でき、サービス完了情報に基づき指定された操作ボタンの操作状況を設定できる。ユーザは、記入されたサービス項目の数と必須サービス項目の総数とを明確に視認することができる。そのため、ユーザエクスペリエンスが向上する。加えて、ページフォーム内の指定された操作ボタンの属性情報である透明度、色相、明度、純度、サイズ及び形状等のうちの１つ以上が、ユーザの情報入力の進捗に伴い変化する。そのため、ユーザは、現在のサービス項目完了の進捗をより意識できるようになり、ユーザエクスペリエンスを更に向上させることができる。
【００６５】
本願の内容は、データの表示、設定、及び処理、例えばページ情報表示、操作ボタン（例えば送信ボタン）状況設定、及びデータ検証に関する記載を含むが、本願は、産業プログラミング言語デザイン標準又は実施に記載のデータ表示及び処理に完全に一致するケースに限定されるわけでは必ずしもない。ページデザイン言語又は実施の記載をわずかに修正した後に得られる一部の実施は、上記の実施と同一、均等、類似、又は予測可能な効果を達成できる。当然、上記のデータ処理及び特定方法を用いない場合でも、本願の上記の実施における統計収集、情報インタラクション、並びに情報特定及びフィードバック方法に従う限り、同じアプリケーションを実施できる。ここでは詳細を省略する。
【００６６】
本願は、実施又はフローチャートに記載の方法の操作ステップを提供するが、従来の手段又は非創造的手段に基づき、それよりも多数の操作ステップ又はそれよりも少数の操作ステップを含むことができる。実施において列挙したステップの順序は、多数のステップ実行順序の１つに過ぎず、一意的な実行順序を表すものではない。実際のデバイス又はクライアント製品の場合、ステップは、実施又は添付の図面に例示した順序に基づき、あるいは並行して（例えば、並列プロセッサ又はマルチスレッド処理環境において）実行できる。
【００６７】
上記の実施において例示したユニット及びデバイスは、コンピュータチップ若しくはエンティティによって、又は特定の機能を持つ製品によって実施できる。説明を容易にするため、上記のデバイスは、機能を様々なモジュールに分割して記載されている。当然、本願の実施に際し、モジュールの機能は、１つ以上のソフトウェア及び／又はハードウェアにおいて実施できる。例えば、上記の実施において記載する第１の検証ユニット及び第２の検証ユニットは、同一の検証デバイス又は機能モジュールによって実施できる。当然、本願に記載の特定のユニットモジュールとして同一の機能を実施するモジュールも、複数の下位モジュール又は下位モジュールの組合せによって実施できる。
【００６８】
当業者には公知であるが、コンピュータ読取り可能プログラムコードのみを用いるコントローラの実施に加え、方法のステップに対してロジックプログラミングを遂行し、論理ゲート、スイッチ、特定用途向け集積回路（ＡＳＩＣ）、プログラマブル論理コントローラ、埋込型マイクロコントローラなどの形態で、コントローラに同一の機能を実施させることができる。したがって、こうしたコントローラは、ハードウェアコンポーネントとみなすことができる。コントローラに含まれ、様々な機能を実施するために用いられるデバイスは、ハードウェアコンポーネントにおける構造体とみなすことができる。又は、様々な機能を実施するために用いられるデバイスは、方法を実施するソフトウェアモジュール及びハードウェアコンポーネントにおける構造体とみなすこともできる。
【００６９】
本願は、コンピュータによって実行されるコンピュータ実行可能指令、例えば、プログラムモジュールの一般的な文脈で示すことができる。一般に、プログラムモジュールは、特定のタスクを実行する又は特定の抽象データ型を実施する、ルーチン、プログラム、オブジェクト、コンポーネント、データ構造、クラスなどを含む。本願は、分散型コンピューティング環境においても実施できる。分散型コンピューティング環境において、タスクは、通信ネットワークを介して接続されたリモート処理デバイスによって遂行される。分散型コンピューティング環境において、プログラムモジュールは、格納デバイスを含むローカル及びリモートコンピュータ格納媒体に配置できる。
【００７０】
本実施の説明から分かることであるが、当業者は、本願が、必要なユニバーサルハードウェアプラットフォームに加えてソフトウェアを用いて実施できることを、明確に理解することができる。こうした理解に基づき、本願の技術的解決策は、本質的に、又は既存の技術に貢献する部分を、ソフトウェア製品の形態で実施できる。ソフトウェア製品は、記録媒体、例えばリードオンリーメモリ（ＲＯＭ）／ランダムアクセスメモリ（ＲＡＭ）、磁気ディスク、又は光ディスクに格納することができ、コンピュータデバイス（パーソナルコンピュータ、モバイル端末、サーバ、ネットワークデバイスなどとすることができる）に命令して本願の実施又は実施の一部に記載の方法を実行させる幾つかの指令を含む。
【００７１】
本明細書における実施は、順次方式で記載される。実施における同一又は類似の部分については、互いに参照できる。各実施は、他の実施との差異に焦点を当てている。本願は、多くの汎用又は専用コンピュータシステム環境又は構成、例えば、パーソナルコンピュータ、サーバコンピュータ、ハンドヘルド又はポータブルデバイス、タブレットタイプのデバイス、マルチプロセッサシステム、マイクロプロセッサベースのシステム、セットトップボックス、プログラマブル電子デバイス、ネットワークＰＣ、ミニコンピュータ、メインフレームコンピュータ、上記のシステム又はデバイスのいずれか１つを含む分散型コンピューティング環境などにおいて用いることができる。
【００７２】
本願は実施を用いて説明するが、当業者が理解するように、本願の主旨から逸脱することなく多くの変形及び変更を本願に加えることが可能である。特許請求の範囲は、本願の主旨から逸脱することのないこれらの変形及び変更を包含するものである。
【符号の説明】
【００７３】
７１  サービス項目総数特定ユニット
７２  記入済サービス項目数特定ユニット
７３  計数及び表示ユニット
７４  操作状況設定ユニット
８１  属性情報取得ユニット
８２  属性値変更ユニット
９１  第１の検証ユニット
９２  ボタン無効化ユニット
９３  第２の検証ユニット
９４  修正・設定ユニット
９５  再アクティブ化ユニット
【図１】
2019507433.tif 000003
【図２】
2019507433.tif 000004
【図３】
2019507433.tif 000005
【図４】
2019507433.tif 000006
【図５ａ】
2019507433.tif 000007
【図５ｂ】
2019507433.tif 000008
【図６】
2019507433.tif 000009
【図７】
2019507433.tif 000010
【図８】
2019507433.tif 000011
【図９】
2019507433.tif 000012
【国際調査報告】
2019507433.tif 000013
2019507433.tif 000014
2019507433.tif 000015
2019507433.tif 000016